(57)【要約】【課題】携帯端末を使って、簡単な操作で多数の種類のメモを記録、閲覧でき、また、所望のメモを簡単に探せるようにしたものを提供する。【解決手段】携帯電話の本体メモリは通常メモリＭｅｍ０１とメモ記録メモリＭｅｍ０２とに分離される。ユーザによりメモ記録キーが操作されると、メモ記録メモリＭｅｍ０２にメモファイルを保存し、又はメモ記録メモリからメモファイルを読み出すように制御される。このため、メモの記録、閲覧を簡単に行うことができると共に、メモ記録メモリＭｅｍ０２にはメモファイルのみが保存されるため、メモの整理を簡単に行うことができる。【選択図】図１
2012129770.tif 000002
【特許請求の範囲】
【請求項１】
携帯端末にメモファイルを記録／再生するようにしたメモ保存装置であって、
通常メモリとメモ記録メモリとに分離された記憶手段と、
メモ記録を行うためのメモ記録キーと、
前記メモ記録キーが操作されると、前記メモ記録メモリにメモファイルを保存し又は前記メモ記録メモリからメモファイルを読み出すように制御するメモ保存制御手段と
を備えることを特徴とするメモ保存装置。
【請求項２】
前記メモ保存制御手段は、カテゴリで分類したメモ記録の種類を示す識別情報と関連付けて記録するようにしたことを特徴とする請求項１に記載のメモ保存装置。
【請求項３】
前記メモ保存制御手段は、アプリケーションと関連付けて記録するようにしたことを特徴とする請求項１又は２に記載のメモ保存装置。
【請求項４】
携帯端末にメモファイルを記録／再生するようにしたメモ保存方法であって、
前記携帯端末は、通常メモリとメモ記録メモリとに分離された記憶手段と、メモ記録を行うためのメモ記録キーとを設えており、
前記メモ記録キーが操作されると、前記メモ記録メモリにメモファイルを保存し又は前記メモ記録メモリからメモファイルを読み出すように制御する
ことを特徴とするメモ保存方法。
【請求項５】
携帯端末にメモファイルを記録／再生するためのメモ保存プログラムであって、
前記携帯端末は、通常メモリとメモ記録メモリとに分離された記憶手段と、メモ記録を行うためのメモ記録キーとを設えており、
前記メモ記録キーが操作されたことを判定するステップと、
前記メモ記録キーが操作されると、前記メモ記録メモリにメモファイルを保存し又は前記メモ記録メモリからメモファイルを読み出すように制御するステップとを含む
ことを特徴とするコンピュータにより実行可能なメモ保存プログラム。
【発明の詳細な説明】
【技術分野】
【０００１】
本発明は、携帯端末を使ってメモファイルを記録／再生するメモ保存装置、メモ保存方法、及びメモ保存プログラムに関する。
【背景技術】
【０００２】
広大な大型のショッピングセンターの駐車場では、自分が駐車した駐車スペースがとこであるのか分からなくなるようなことがある。このような場合に、携帯電話の写真撮影機能を使って駐車スペースの周辺を写真撮影しておくと、その写真を再生して駐車位置を確かめることができ、自分の車の駐車スペースが分からなくなるようなことがなくなる。
【０００３】
また、ショッピングを行っていると、目玉商品や特別バーゲンに出会うことがある。このような場合、携帯電話のテキスト作成機能を使って、バーゲン商品やその価格をメモしておくと、その商品の価格を他店と比較して、お買い得の商品であるかどうかを冷静に判断できる。
【０００４】
携帯電話は、どこに行くときにもユーザが常に携帯しており、また、近年の携帯電話は、通話機能の他に、カメラ機能、テキスト作成機能、録音機能等が設けられている。このため、携帯電話は、日常で起こった覚えておきたいことをメモするための道具として便利に利用できる。
【０００５】
また、このように携帯電話をメモ記録することについては、例えば特許文献１に記載されている。また、特許文献１には，画像や音声から文字情報を抽出することで、メモ内容を文字情報で保存できるようにすることが記載されている。
【先行技術文献】
【特許文献】
【０００６】
【特許文献１】特開２００９−４９６８０号公報
【発明の概要】
【発明が解決しようとする課題】
【０００７】
ところが、特許文献１に記載されているように、通常の携帯電話では、ユーザは、各機能を実現するためのアプリケーションを立ち上げて、メモ機能に利用している。例えば、駐車スペースを確認するために携帯電話で写真メモをとるためには、通常の携帯電話では、写真撮影のためのアプリケーションを立ち上げ、駐車スペースの周辺の写真撮影を行っている。この場合、メモのために撮影した写真ファイルは、それまで撮影した写真ファイルと混在して保存されることになるため、所望の写真メモのために撮影した写真ファイルの検索が難しくなる。
【０００８】
ファイルを例えば時間順にソートして、撮影時間等を確認すれば、所望の写真メモのために撮影した写真ファイルを検索することができる。しかしながら、このような検索作業は、短時間では行えない。特に、携帯電話が高性能化し、記録できる情報も高密度化、大量化することから、携帯電話に保存されるファイルの数も膨大になってきている。このような大量のファイルの中から、所望のファイルを検索することは難しい。
【０００９】
また、よく使うアプリケーションを起動するためのアイコンをデスクトップに配置したり、メニュー画面に反映したり、使用頻度を調べて自動的に反映したり、画像のサムネールを記録した日単位に管理したり、携帯電話で記録したものスケジューラーや日時管理とファイル管理とを自動連携させるような機能を有するものがある。しかしながら、カレンダーや時間管理表などに連携された情報の呼び出しでも、ユーザがメモしたファイル以外のものが混在して含まれており、メモファイルだけをすばやく確認する場合には適さない。
【００１０】
また、携帯電話で利用できるメモの種類は、テキストメモに限らず、写真メモや音声メモが利用できる。しかしながら、通常の携帯電話では、各機能毎のアプリケーションを立ち上げてから各ファイルを再生するため、メモに利用したアプリケーションが異なる場合に、メモの再生が困難になる。例えば、駐車場を覚えておくような場合、自分が駐車した駐車スペースの周辺の写真メモと共に駐車スペースの番号等をテキストメモで記録するような場合がある。この場合、通常の携帯電話では、写真再生アプリケーションを立ち上げて写真メモのファイルを検索して再生し、テキスト再生アプリケーションを立ち上げてテキストメモのファイルを検索して再生するような作業が必要になる。
【００１１】
上述の課題を鑑み、本発明は、携帯端末を使って、簡単な操作で多数の種類のメモを記録、閲覧でき、また、所望のメモを簡単に探せるようにしたメモ保存装置、メモ保存方法、及びメモ保存プログラムを提供することを目的とする。
【課題を解決するための手段】
【００１２】
上述の課題を解決するために、本発明に係るメモ保存装置は、携帯端末にメモファイルを記録／再生するようにしたメモ保存装置であって、通常メモリとメモ記録メモリとに分離された記憶手段と、メモ記録を行うためのメモ記録キーと、メモ記録キーが操作されると、メモ記録メモリにメモファイルを保存し又はメモ記録メモリからメモファイルを読み出す制御を行うメモ保存制御手段とを備えることを特徴とする。
【００１３】
本発明に係るメモ保存方法は、携帯端末にメモファイルを記録／再生するようにしたメモ保存方法であって、携帯端末は、通常メモリとメモ記録メモリとに分離された記憶手段と、メモ記録を行うためのメモ記録キーとを設えており、メモ記録キーが操作されると、メモ記録メモリにメモファイルを保存し又はメモ記録メモリからメモファイルを読み出すように制御することを特徴とする。
【００１４】
本発明に係るメモ保存プログラムは、携帯端末にメモファイルを記録／再生するためのメモ保存プログラムであって、携帯端末は、通常メモリとメモ記録メモリとに分離された記憶手段と、メモ記録を行うためのメモ記録キーとを設えており、メモ記録キーが操作されたことを判定するステップと、メモ記録キーが操作されると、メモ記録メモリにメモファイルを保存し又はメモ記録メモリからメモファイルを読み出すように制御するステップとを含むことを特徴とする。
【発明の効果】
【００１５】
本発明によれば、本体メモリが通常メモリとメモ記録メモリとに分離されており、メモ記録キーが操作されると、メモ記録メモリにメモファイルが保存され又はメモ記録メモリからメモファイルが読み出される。このため、メモの記録、閲覧を簡単な操作で行うことができる。また、メモ記録メモリにはメモファイルのみが保存されるため、メモの整理が簡単に行える。また、メモリが通常メモリとメモ記録メモリとに分離されるため、通常の保存ファイルを保護できると共に、メモの管理が行い易く、また、メモの呼び出し時間を短縮できる。また、本発明によれば、メモファイルとメモ記録の種類を示す識別情報と関連付けられているので、識別情報から、所望のメモのファイルを簡単に検索することができる。また、本発明によれば、メモファイルと写真、画像、音声等のアプリケーションと関連付けられているので、どのような種類のメモファイルでも、同様な操作で再生できる。
【図面の簡単な説明】
【００１６】
【図１】本発明の第１の実施形態に係る携帯電話におけるメモ記録処理、メモ閲覧処理及びメモ削除処理の概要を示す説明図である。
【図２】本発明の第１の実施形態に係る携帯電話の構成を示すブロック図である。
【図３】本発明の第１の実施形態に係る携帯電話のメモ記録処理及びメモ閲覧処理を行うときの表示画面を示す説明図である。
【図４】本発明の第１の実施形態に係る携帯電話のメモ記録処理及びメモ閲覧処理を行うときの表示画面を示す説明図である。
【図５】本発明の第１の実施形態に係る携帯電話におけるメモ記録方法の設定画面の説明図である。
【図６】本発明の第１の実施形態に係る携帯電話における通常メモリに保存される情報の説明図である。
【図７】本発明の第１の実施形態に係る携帯電話におけるメモ記録メモリに保存される情報の説明図である。
【図８】本発明の第１の実施形態に係る携帯電話におけるメモ記録処理及びメモ閲覧処理を示すフローチャートである。
【図９】本発明の第１の実施形態に係る携帯電話におけるメモの保存処理を示すフローチャートである。
【図１０】本発明の第１の実施形態に係る携帯電話における本体メモリの通常メモリとメモ記録メモリの内容を示す説明図である。
【発明を実施するための形態】
【００１７】
以下、本発明の実施の形態について図面を参照しながら説明する。図２は本発明の第１の実施形態に係る携帯電話の構成を示すブロック図である。
【００１８】
図２に示すように、本発明の第１の実施形態に係る携帯電話２０１は、全体制御を行うプロセッサ２０２と、ＬＣＤ(Liquid Crystal Display)等から構成される表示装置２０３と、音声を発するスピーカ２０４と、音声を入力するマイクロホン２０５と、年月日や時間の情報を出力する時計２０６と、アプリケーションを実現するプログラムが格納されたプログラム格納部２０７と、メニュー選択や文字入力を行うためのキー装置２０８と、通信を行うための回線接続部２０９と、カムモータなどで筐体全体に振動を与える筐体振動部２１０と、ＧＰＳ(Global Positioning System)による位置情報取得装置２１１と、筐体をスライドさせたり回転させたりしたときの位置情報を検出する筐体状態検出装置２１２と、本体メモリ２１３と、カメラ撮影を行う撮像装置２１４等から構成される。
なお、キー装置２０８には、少なくともメモ記録キー２０８−１と決定キー２０８−２が含まれる。
【００１９】
また、プログラム格納部２０７には、通話や写真撮影、テキスト撮影、音声記録等のアプリケーションプログラムが格納されると共に、上述のように、メモ記録キー２０８−１が使用されると、メモで生成されたファイルをメモ記録メモリＭｅｍ０２に保存する制御を行うメモ保存制御プログラムが格納されている。
【００２０】
また、図１に示すように、携帯電話２０１の本体メモリ２１３は、通常メモリＭｅｍ０１とメモ記録メモリＭｅｍ０２とから構成される。各アプリケーションを起動して生成されたファイルは、通常では、通常メモリＭｅｍ０１に保存される。これに対して、メモ記録キー２０８−１を使ってメモ記録を行う場合、生成されたファイルは、メモ記録メモリＭｅｍ０２に保存される。
【００２１】
なお、通常メモリＭｅｍ０１とメモ記録メモリＭｅｍ０２とは別個に確保されている。このようなメモリは、通常メモリＭｅｍ０１とメモ記録メモリＭｅｍ０２とは物理的に分離させることで実現しても良いし、物理的には同一のメモリとし、メモリ領域で分割して実現しても良い。
【００２２】
図１は、本発明の第１の実施形態に係る携帯電話２０１におけるメモ記録処理、メモ閲覧処理及びメモ削除処理の概要を示す説明図である。
ここで、携帯電話２０１におけるメモ記録処理、メモ閲覧処理及びメモ削除処理についてカンタンに説明する。
【００２３】
《メモ記録処理》
まず、メモ記録処理（１０１−１０２、１１１−１１２）について説明する。ユーザが携帯電話２０１の待ち受け画面から携帯電話２０１左下に設けられたメモ記録キー２０８−１を押下して（１０１（１））、撮像装置２１４を起動させて（１０１（２）、（３））写真を撮影し（１０１（４））、保存すると、写真は通常メモリＭｅｍ０１ではなく、メモ記録メモリＭｅｍ０２へ保存される。
同様に、ユーザが、普通に携帯電話のアプリ（ここではショートカットメニューからカメラを選択）を起動させたあと（１１１（１））、写真を撮影し（１１２（２））、携帯電話左下にあるメモ記録キーを押下の後（１１１（３））、データ保存を実行すると、写真はメモ記録メモリＭｅｍ０２へ保存される。
【００２４】
《メモ閲覧処理》
次に、メモ閲覧処理（１２１−１２２）について説明する。ユーザがメモ記録を読み出す場合は、メモ記録キー２０８−１を押下して（１２１（１））読み出し用のアイコン群から読み出したいメモ記録カテゴリに相当するアイコンを選択し（１２１（２））、時系列（ファイル名順もあり）に表示されるサムネール情報から該当するものを選択し（１２１（３））閲覧する（１２１（４））。
【００２５】
《メモ処分処理》
次に、メモ処分処理（１２２）について説明する。メモ処分処理は、閲覧が終わったメモ記録を破棄するか、そのままメモ記録に残し自然消滅させるか、通常メモリＭｅｍ０１へ保存（移動）する処理となる。通常メモリＭｅｍ０１とメモ記録メモリＭｅｍ０２も、プログラム格納部２０７が格納する携帯電話のアプリによって管理され、本体メモリ２１３の一部に確保されているが、通常のアプリの動作にメモ記録処理を介させることにより、その保存先をメモ記録メモリＭｅｍ０２へ置き換えている。
【００２６】
また、通常メモリＭｅｍ０１とメモ記録メモリＭｅｍ０２の関係は図１０のように示すことができる。
１０−１と１０−２は、アプリごとにフォルダ単位に保存されるデータの保存領域を表したもので、メモ記録メモリＭｅｍ０２にも、通常メモリＭｅｍ０１より容量は小さいが、通常メモリＭｅｍ０１と同様にデータの保存領域を有していることを示している。
【００２７】
次に、本発明の第１の実施形態に係る携帯電話２０１のメモ記録処理及びメモ閲覧処理について詳述する。
【００２８】
図３及び図４は、本発明の第１の実施形態に係る携帯電話２０１のメモ記録処理及びメモ閲覧処理を行うときの表示画面を示すものである。
【００２９】
待ち受け画面からメモ記録を行う場合、ユーザは、図３（Ａ）に示す待ち受け画面３０１から、メモ記録キー２０８−１を押下する。待ち受け画面３０１からメモ記録キー２０８−１が押下されると、表示装置２０３は、図３（Ｂ）に示すメモ記録初期メニュー画面３０２を表示する。なお、メモ記録初期メニュー画面３０２には、メモの読み出しを選択する「Ｌｏａｄ」ボタンと、メモの記録を選択する「Ｍｅｍｏ」ボタンの２つの選択ボタンが表示される。
【００３０】
ここで、メモ記録処理を行う場合、ユーザは、キー装置２０８の十字カーソルキーを使って、アンカーを移動させ、選択ボタンから「Ｍｅｍｏ」ボタンを選択する。
【００３１】
「Ｍｅｍｏ」ボタンが選択されると、表示装置２０３は、図３（Ｃ）に示すように、メモ記録メニュー画面３０３で、「Ｍｅｍｏ」ボタンの下に、メモ記録アプリケーションメニューを縦に並べて表示する。このメモ記録アプリケーションメニューは、メモ記録するアプリケーションを選択するものである。このメモ記録アプリケーションメニューでは、例えば、テキストメモのアプリケーション、写真メモのアプリケーション、音声メモのアプリケーション等を選択できる。ユーザは、キー装置２０８の十字カーソルキーを使って、メモ記録アプリケーションメニューの中から、希望するアプリケーションを選択する。
【００３２】
ユーザによりメモ記録アプリケーションメニューの中から例えば「カメラ」が選択されると、図３（Ｄ）に示すように、プロセッサ２０２は、カメラ撮影のアプリケーションを起動し、表示装置２０３は、メモ記録アプリ画面３０４を表示する。ここで、ユーザにより撮影キー（例えば決定キー２０８−２）が押下されると、撮像装置２１４は、そのときの画像を撮影する。
【００３３】
カメラ画像の撮影が終了すると、図３（Ｅ）に示すように、表示装置２０３は、アイコン選択画面３０５を表示する。このアイコン選択画面３０５は、用途や使用目的等で分類したメモ記録の種類を示す識別情報のアイコンを選択するものである。アイコン選択画面には、「駐車場」、「ショッピング」、「レストラン」等を示すアイコンの一覧を示すメモ記録アイコン選択メニューが表示される。ユーザは、メモ記録アイコン選択メニューの中から、キー装置２０８の十字カーソルキーを使ってアンカーを移動させ、希望するアイコンを選択する。
【００３４】
ユーザによりメモ記録アイコン選択メニューの中から、例えば「駐車場」のアイコンが選択されると、プロセッサ２０２は、カメラ撮影した画像に対して「駐車場」のアイコンを関連付け、その画像データを本体メモリ２１３のメモ記録メモリＭｅｍ０２に画像メモとして保存し、表示装置２０３は、図３（Ｆ）に示す待ち受け画面３０６に処理を表示する。
【００３５】
なお、アプリケーションからメモ記録を行う場合、ユーザは、図３（Ｄ）に示すようなアプリケーション起動中に、メモ記録キー２０８−１を押下する。これにより、表示装置２０３は、図３（Ｅ）に示すように、アイコン選択画面３０５を表示する。ユーザは、アイコン選択画面３０５中から希望するメモ記録の種類の識別情報を示すアイコンを選択する。ユーザによりメモ記録の種類の識別情報を示すアイコンの中から希望するアイコンが選択されると、プロセッサ２０２は、カメラ撮影した画像に対して選択された識別情報を関連付け、その画像データを本体メモリ２１３のメモ記録メモリＭｅｍ０２に保存する。
【００３６】
メモの閲覧を行う場合、ユーザは、図４（Ａ）に示すような待ち受け画面４０１から、メモ記録キー２０８−１を押下する。待ち受け画面４０１からメモ記録キー２０８−１が押下されると、表示装置２０３は、図４（Ｂ）に示すメモ記録初期メニュー画面４０２を表示する。なお、メモ記録初期メニュー画面４０２には、メモの読み出しを選択する「Ｌｏａｄ」ボタンと、メモの記録を選択する「Ｍｅｍｏ」ボタンの２つの選択ボタンが表示される。
【００３７】
ここで、メモの閲覧処理を行う場合、ユーザは、キー装置２０８の十字カーソルキーを使って、アンカーを移動させ、選択ボタンから「Ｌｏａｄ」ボタンを選択する。
【００３８】
ユーザにより「Ｌｏａｄ」ボタンが選択されると、図４（Ｃ）に示すように、表示装置２０３は、メモ呼出メニュー画面４０３で、「Ｌｏａｄ」ボタンの下に、メモ記録種類選択メニューを縦に並べて表示する。ユーザは、メモ記録種類選択メニューの中から、希望するメモ種類のアイコンを選択する。メモ記録種類選択メニューの中から、例えば「駐車場」のアイコンがユーザにより選択されると、図４（Ｄ）に示すように、表示装置２０３は、メモ呼出メニュー画面４０４で、「駐車場」のアイコンの横に、「駐車場」のアイコンに関連付けられたメモファイルを表示する。また、このメモファイルのアイコンは、そのファイルを再生するアプリケーションと関連付けられている。ユーザは、キー装置２０８の十字カーソルキーを使ってアンカーを移動させ、所望のメモファイルを選択する。ユーザによりメモファイルが選択されると、図４（Ｅ）に示すように、表示装置２０３は、メモ呼出アプリ画面４０５を表示し、プロセッサ２０２は、このファイルに対応するアプリケーションを起動し、メモファイルを再生する。例えば、メモファイルとして写真ファイルが選択されると、プロセッサ２０２は、写真を再生するためのアプリケーションを起動し、そのメモの写真を再生する。これにより、ユーザは、メモとして保存しておいた写真を閲覧できる。
【００３９】
ユーザは、メモ処分をしたい場合、メモを閲覧した後に、再びメモ記録キー２０８−１を押下する。メモを閲覧した後に、再びメモ記録キー２０８−１が押下されると、図４（Ｆ）に示すように、表示装置２０３は、メモ呼出アプリ画面４０６中に、メモ処分のダイアログを表示する。メモ処分のダイアログには、メモを処分することを選択する「はい」ボタンと、メモを処分しないことを示す「いいえ」ボタンが表示される。ユーザは、図４（Ｇ）に示すように、メモ呼出アプリ画面４０７中のダイアログ４５７から、キー装置２０８の十字カーソルキーを使って、メモを破棄するか否かの選択を行い、この選択を行った後に、決定キー２０８−２を押下する。
【００４０】
ここで、メモ呼出アプリ画面４０７中のダイアログから「はい」ボタンが選択され、決定キー２０８−２が押下されると、プロセッサ２０２は、選択されたファイルを本体メモリ２１３のメモ記録メモリＭｅｍ０２から削除する。「いいえ」ボタンが選択され、決定キー２０８−２が押下されると、プロセッサ２０２は、選択されたファイルを本体メモリ２１３のメモ記録メモリＭｅｍ０２から通常メモリＭｅｍ０１にコピーする。そして、図４（Ｈ）に示すように、表示装置２０３は、処理を待ち受け画面４０８を表示する。
【００４１】
次に、本体メモリ２１３が記憶する情報について説明する。
図１０に示すように、通常メモリＭｅｍ０１には、システムファイル６０５等の他、テキスト、電子メール、カメラ等のアプリケーションの保存ファイル１０−２と、メモ記録アプリメニュー情報６０１と、メモ記録種類選択メニュー情報６０２と、メモ記録設定情報６０３が保存される。また、メモ記録メモリＭｅｍ０２には、メモとして取り込まれたテキスト、電子メール、カメラ等のメモファイル１０−１と、メモ記録ＤＢ７０１とが保存される。
【００４２】
図６は、通常メモリＭｅｍ０１が記憶する情報を示す図である。
メモ記録アプリメニュー情報６０１は、図６に示すように、メモ記録メニュー画面３０３（図３（Ｃ）参照）を表示するための情報である。メモ記録種類選択メニュー情報６０２は、アイコン選択画面３０５（図３（Ｅ）参照）を表示するための情報である。メモ記録設定情報６０３は、記録モード等の設定情報である。
【００４３】
図７は、メモ記録メモリＭｅｍ０２が記憶する情報を示す図である。
メモ記録ＤＢ７０１は、図７に示すように、メモとして取り込まれたテキスト、電子メール、カメラ等のメモファイルの関連情報を記憶する。この関連情報には、テキスト、写真、画像、音声等のアプリケーションと連携したアプリケーションのＩＤ（アプリアイコンＩＤ）と、ショッピング、駐車場、レストラン等のカテゴリで分類したメモ記録の種類を示す識別情報となるメモ記録アイコンのＩＤ（メモ記録アイコンＩＤ）と、メモ記録を保存した時刻（メモ記録時刻）と、メモ記録ファイル名とが含まれる。
【００４４】
次に、本発明の第１の実施形態に係る携帯電話２０１の設定画面について図８を用いて説明する。
図５は、本発明の第１の実施形態に係る携帯電話２０１の設定画面を示すものである。
【００４５】
設定画面５０１（図５（Ａ））、設定画面５１１（図５（Ｂ））は、メモ記録方法の設定画面である。設定画面５０１又は設定画面５１１により、記録方法の設定を、記録件数優先モードと記録容量優先モードの何れに設定するかを選択できる。記録件数優先モードに設定する場合、ユーザは、設定画面５０１で、「記録件数優先」を選択し、決定キー２０８−２を押下する。「記録件数優先」が選択されると、プロセッサ２０２は、図６におけるメモ記録設定情報６０３のメモ記録方法フラグ（項目Ｎ６２１）を「記録件数優先」にセットする。
【００４６】
設定画面５０１で記録件数優先モードに設定された場合、ユーザは、設定画面５０２（図５（Ｂ））で、メモ記録の対象となるアプリケーションと、各アプリケーションで記録する件数の上限値を設定して、決定キー２０８−２を押下する。アプリケーションの上限値が設定されて、決定キー２０８−２が押下されると、プロセッサ２０２は、図６におけるメモ記録設定情報６０３のメモ記録件数（項目Ｎ６４１、Ｎ６４５、Ｎ６４８、…）に、設定した各アプリケーションの件数の上限値をセットする。
【００４７】
なお、設定画面５０２（図８（Ｂ））におけるメモ記録する対象となるアプリケーションの左側にあるチェックボックスは、メモ記録するアプリケーションをどれにするか選択するもので、チェックボックスにチェックしないことで、そのアプリケーションをメモ記録の対象からはずすことができる。
【００４８】
記録件数優先モードに設定された場合、最後に、表示装置２０３は、設定画面５０３（図８（Ｃ））を表示し、ユーザはこの設定画面５０３でメモ記録設定情報の設定結果を確認する。
【００４９】
記録容量優先モードに設定する場合、ユーザは、設定画面５１１（図５（Ｅ））で、「記録容量優先」を選択し、決定キー２０８−２を押下する。記録方法が「記録容量優先」に設定されると、プロセッサ２０２は、図６におけるメモ記録設定情報６０３のメモ記録方法フラグ（項目Ｎ６２１）を「記録容量優先」にセットする。
【００５０】
設定画面５１１で記録容量優先モードに設定された場合、次に、ユーザは、設定画面５１２（図８（Ｆ））で、数値入力やポインタ操作などによってメモ記録する容量を設定し、決定キー２０８−２を押下する。容量が設定され、決定キー２０８−２が押下されると、プロセッサ２０２は、図６におけるメモ記録設定情報６０３のメモ記録容量（項目Ｎ６３１）の設定値を設定したメモ記録の最大容量にセットする。記録容量優先モードに設定された場合、最後に、表示装置２０３は設定画面５１３（図８（Ｇ））を表示し、ユーザはこの設定画面５１３で、メモ記録設定情報の設定結果を確認する。
【００５１】
次に、メモ記録におけるメニューの設定について説明する。図８における設定画面５２１（図８（Ｄ））は、メモ記録メニュー画面３０３（図３（Ｃ））において表示されるアプリケーションに関する設定である。
【００５２】
設定画面５２１で、ユーザは、メモ記録を行う際のアプリケーションを選択して設定する。この設定結果は、図６におけるメモ記録アプリケーションメニュー情報６０１に反映される。
【００５３】
設定画面５２１では、メモ記録メニュー画面３０３（図３（Ｃ））に表示するアイコンの順番を示すアプリアイコンＮｏ（項目Ｎ６０１）と、メニューリストへの表示の有無を示すメモ記録読み出しフラグ（項目Ｎ６０５）と、メモ記録キーを押下ときに「Ｍｅｍｏ」ボタンと「Ｌｏａｄ」ボタンのいずれかを表示するか、あるいは両方とも表示させるかを示すアプリメニューリストフラグ（項目Ｎ６０６）の設定を行うことができる。
【００５４】
なお、図６におけるアプリアイコンＩＤ（項目Ｎ６０２）、アプリアイコン名（項目Ｎ６０３）、アプリメニューリストフラグ（項目Ｎ６０４）は、規定値であり、利用者側での変更は行えない。
【００５５】
図５におけるメモ記録アイコンの設定画面５３１（図５（Ｈ））は、図３（Ｅ）においてアイコン選択画面３０５に表示される「駐車場」、「ショッピング」、「レストラン」等用途や使用目的等で分類したメモ記録の種類のアイコンを設定する画面である。
【００５６】
設定画面５３１で、ユーザは、アイコン選択画面３０５に表示させるカテゴリやそのアイコンを設定する。この設定結果は、本体メモリ２１３の通常メモリＭｅｍ０１が記憶するメモ記録種類選択メニュー情報６０２に反映される。
【００５７】
設定画面５３１では、メモ記録アイコンの表示順を示すアプリ記録アイコンＮｏ（項目Ｎ６１１）、メモ記録の名称を示すメモ記録名（項目Ｎ６１４）、及びメモ記録を記録時間順に表示するかファイル名順に表示するか、及び昇順に表示するか降順に表示するかを示す表示優先フラグ（項目Ｎ６１５）の設定を行うことができる。
【００５８】
なお、図６におけるメモ記録アイコンＩＤ（項目Ｎ６１２）と、メモ記録アイコン名（項目Ｎ６１３）は、規定値のため、利用者側での変更は行えない。
【００５９】
次に、携帯電話２０１によるメモ記録処理及びメモ閲覧処理の処理フローを説明する。
図８は、上述のメモ記録処理及びメモ閲覧処理をフローチャートで示したものである。
【００６０】
図８において、ユーザによりメモ記録キーが押下されると（ステップＳ８０１）、プロセッサ２０２は、メモ記録初期メニュー画面が起動可能かどうかを判定する（ステップＳ８０２）。
【００６１】
前述したように、待ち受け画面からメモ記録を行う場合には、ユーザは、待ち受け画面が表示されている状態で、メモ記録キー２０８−１を押下し、図３（Ｂ）に示したようなメモ記録初期メニュー画面３０２を表示させる。また、メモ閲覧を行う場合には、ユーザは、待ち受け画面が表示されている状態で、メモ記録キー２０８−１を押下し、図４（Ｂ）に示したようなメモ記録初期メニュー画面４０２を表示させる。これに対して、アプリケーションからメモ記録を行う場合には、ユーザは、アプリケーションが実行されている状態で、メモ記録キー２０８−１を押下し、図３（Ｄ）に示したように、アプリケーションからメモ記録を行う。したがって、アプリケーションからメモ記録を行う場合、メモ記録初期メニュー画面は表示されない。このことから、ステップＳ８０２で、メモ記録初期メニュー画面が起動可能なら、プロセッサ２０２は、待ち受け画面からメモ記録を行う場合か又はメモ閲覧を行う場合であり、メモ記録初期メニュー画面が起動可能でないなら、アプリケーションからメモ記録を行う場合であると判断できる。
【００６２】
ステップＳ８０２で、メモ記録初期メニュー画面が起動可能な場合、プロセッサ２０２は、メモ記録初期メニュー画面を起動する（ステップＳ８０３）。図３（Ｂ）及び図４（Ｂ）で示したように、このメモ記録初期メニュー画面３０２又は４０２には、「Ｍｅｍｏ」ボタンと「Ｌｏａｄ」ボタンのいずれか一方または両方が表示される。ここで、メモ記録処理を行う場合、ユーザは、「Ｍｅｍｏ」ボタンを選択し、メモ閲覧処理を行う場合、「Ｌｏａｄ」ボタンを選択する。したがって、プロセッサ２０２は、「Ｍｅｍｏ」ボタンが選択されたか、「Ｌｏａｄ」ボタンが選択されたかにより、待ち受け画面からメモ記録を行う場合か、又はメモ閲覧を行う場合かを判断できる。
【００６３】
プロセッサ２０２は、ステップＳ８０３でメモ記録初期メニュー画面を起動すると、「Ｍｅｍｏ」ボタンが選択されたか、「Ｌｏａｄ」ボタンが選択されたかを判定する（ステップＳ８０４）。
【００６４】
ステップＳ８０４で、「Ｍｅｍｏ」ボタンが選択された場合、プロセッサ２０２は、待ち受け画面からメモ記録を行う場合の処理を実行する。この場合、プロセッサ２０２は、図３（Ｃ）に示したメモ記録メニュー画面３０３で、メモ記録アプリケーションメニューを表示する。ユーザは、このメモ記録アプリケーションメニューから、所望のアプリケーションを示すアイコンを選択する。
【００６５】
プロセッサ２０２は、メモ記録メニューを起動し（ステップＳ８０５）、アプリケーションのアイコンが選択されたかどうかを判定する（ステップＳ８０６）。ステップＳ８０６で、アプリケーションのアイコンが選択されると、プロセッサ２０２は、そのメモに関連付けられたメモ記録の種類のアイコンを示すメモ記録アイコンＩＤ及びアプリケーションアイコンＩＤをセットする（ステップＳ８０７）。そして、プロセッサ２０２は、決定キー２０８−２が押下され、データ保存されるかどうかを判定する（ステップＳ８０８）。ステップＳ８０８でデータ保存すると判定されると、プロセッサ２０２は、メモ記録アイコンを選択し（ステップＳ８０９）、メモ記録を保存して（ステップＳ８１０）、処理を終了する。
【００６６】
なお、ステップＳ８０６でアプリケーションが選択されなければ、プロセッサ２０２は、処理を終了する。また、ステップＳ８０８で、決定キー２０８−２が押下されず、データ保存されなければ、プロセッサ２０２は、処理を終了する。
【００６７】
ステップＳ８０４で、「Ｌｏａｄ」ボタンが選択された場合、プロセッサ２０２は、待ち受け画面からメモ閲覧を行う場合の処理を実行する。この場合、プロセッサ２０２は、図４（Ｃ）に示したメモ呼出メニュー画面４０３を表示させる（ステップＳ８２１）。図４（Ｃ）に示したように、メモ呼出メニュー画面４０３には、メモ記録種類選択メニューが表示され、各メモ記録の種類を示すアイコン毎に、メモのファイルが表示される。ユーザは、メモ記録の種類を示すアイコンに基づいて、所望のメモのファイルを検索し、所望のメモのファイルが検索できると、そのファイルを選択する。
【００６８】
プロセッサ２０２は、ファイルが選択されたかどうかを判定し（ステップＳ８２２）、ファイルが選択されると、そのファイルに関連付けられたアプリケーションを起動して、メモ記録を表示する（ステップＳ８２３）。
【００６９】
ユーザは、メモの削除を行う場合には、図４（Ｆ）に示すように、メモ記録を表示した後、メモ記録キー２０８−１を押下する。プロセッサ２０２は、メモ記録を表示した後、メモ記録キー２０８−１が押下されたかどうかを判定し（ステップＳ８２４）、メモ記録キー２０８−１が押下された場合、メモの削除処理を実行する。メモ記録キー２０８−１が押下されない場合、プロセッサ２０２は、通常のアプリケーションに処理を戻す。
【００７０】
プロセッサ２０２は、ステップＳ８２４でメモ記録キー２０８−１が押下された場合、図４（Ｆ）に示したメモ呼出アプリ画面４０６中のメモ処分のダイアログから、メモを破棄するか否かの選択を行い、メモを破棄する場合、選択されたファイルを本体メモリ２１３のメモ記録メモリＭｅｍ０２から破棄する（ステップＳ８２７）。ステップＳ８２５で、メモ記録を破棄しない場合、プロセッサ２０２は、メモファイルをメモ記録メモリＭｅｍ０２から通常メモリＭｅｍ０１にコピーする（ステップＳ８２６）。
【００７１】
ステップＳ８０２で、メモ記録キー２０８−１を押下したときに、メモ記録初期メニュー画面が起動可能でないときには、アプリケーションからメモ記録を行う場合の処理が実行される。
【００７２】
ステップＳ８０２で、メモ記録キー２０８−１を押下したときに、メモ記録初期メニュー画面が起動可能でない場合、プロセッサ２０２は、起動中のアプリケーションがメモ記録に対応しているアプリケーションかどうかを判定し（ステップＳ８３１）、メモ記録に対応しているアプリケーションなら、データが未作成かどうかを判定する（ステップＳ８３２）。すなわち、アプリケーションからメモ記録を行う場合、実行中のアプリケーションがメモ記録に対応したアプリケーションであること以外に、写真のようにデータを生成する場合、撮影したファイルが一時メモリに保存されている状態であったり、新規にデータを作成していたり、既に保存されているデータを閲覧中や編集中であったりする状態でなくてはならない。ステップＳ８３２は、このような状態であるかどうかを判定している。
【００７３】
ステップＳ８３２で、データが未作成の場合、プロセッサ２０２は、そのメモに関連付けられたメモ記録の種類を示す識別情報のアイコンを示すメモ記録アイコンＩＤ及びアプリケーションアイコンＩＤをセットし（ステップＳ８３３）、決定キー２０８−２が押下され、データ保存されるかどうかを判定し（ステップＳ８３４）、ステップＳ８３４でデータ保存すると判定されると、メモ記録アイコンを選択し（ステップＳ８３５）、メモ記録を保存して（ステップＳ８３６）、処理を終了する。
【００７４】
なお、ステップＳ８３４で、決定キー２０８−２が押下されず、データ保存されなければ、プロセッサ２０２は、通常のアプリケーションに処理を戻す。また、ステップＳ８３１でメモ対応のアプリケーションでない場合、又はステップＳ８３２でデータ未作成でない場合、これで処理を終了する。
【００７５】
また、この例では、プロセッサ２０２は、ユーザが待ち受け画面３０１、４０１からメモ記録キー２０８−１を押下し、メモ記録初期メニュー画面３０２、４０２を起動して、メモ記録やメモ呼出しを行っていると説明したが、マルチタスク処理対応が可能な携帯電話の場合は、他のアプリケーション画面上からでも、ユーザがメモ記録キー２０８−１を押下し、メモ記録初期メニュー画面３０２、４０２を起動させることは可能である。しかしながら、マルチタスク処理が可能であっても、起動中のアプリケーションの処理と、メモ記録キー２０８−１の押下によるメモ記録やメモ呼出しの処理とが物理的に競合してしまうと、メモ記録やメモ呼出しの処理は行えない。図９に示したフローチャートでは、マルチタスク処理が可能な端末で、他のアプリケーション起動中にメモ記録キー２０８−１が押下され、このとき物理的に処理が競合する場合には、プロセッサ２０２は、ステップＳ８０２の分岐で、メモ記録メニュー画面の起動は無効であると判定する。このため、メモ記録キー２０８−１が押下されても、メモ記録初期メニューの表示処理は無効となり、プロセッサ２０２は、ステップＳ８３１の分岐で、プロセッサ２０２はメモ対応アプリケーションではないと判定し、処理は終了する。
【００７６】
ステップＳ８１０又はステップＳ８３６で、メモ記録を行う場合、設定条件に応じて、古いデータの削除処理が行われる。設定条件としては、記録容量優先モードと記録件数優先モードとがある。記録容量優先モードの場合、メモ記録メモリＭｅｍ０２の記録容量が所定の記録容量以下となるように、古いデータの削除処理が行われる。記録件数優先モードの場合、各アプリケーションでの記録件数が所定件数以下となるように、古いデータの削除処理が行われる。
【００７７】
図９は、ステップＳ８１０又はステップＳ８３６での処理を示すフローチャートである。
【００７８】
新規にメモを記録する場合、プロセッサ２０２は、メモ記録の総容量に、新しいメモ記録容量を加算し（ステップＳ９０１）、また、メモ記録したアプリケーションでの登録件数に新しいメモ記録件数を加算する（ステップＳ９０２）。次に、プロセッサ２０２は、本体メモリ２１３にあるメモ記録設定情報６０３のメモ記録方法フラグ（項目Ｎ６２１）の内容から、記録容量優先モードに設定されているか、記録件数優先モードに設定されているかを判定する（ステップＳ９０３）。
【００７９】
メモ記録方法フラグ（項目Ｎ６２１）の内容から記録容量優先モードに設定されていると判定された場合、プロセッサ２０２は、ステップＳ９０１で計算したメモ記録の総容量がメモ記録容量の上限値以上かどうかを判定する（ステップＳ９０４）。メモ記録の総容量がメモ記録容量の上限値を超えていなければ、プロセッサ２０２は、新しいメモ記録のファイルを本体メモリ２１３のメモ記録メモリＭｅｍ０２にあるメモ記録ＤＢ７０１に追加保存して（ステップＳ９０６）、処理を終了する。メモ記録の総容量がメモ記録容量の上限値以上なら、プロセッサ２０２は、古いメモ記録のファイルを古い順に削除して（ステップＳ９０５）、ステップＳ９０４に戻り、改めて、メモ記録の総容量がメモ記録容量の上限値以上かどうかを判定する。
【００８０】
メモ記録方法フラグ（項目Ｎ６２１）の内容から記録件数優先モードに設定されていると判定された場合、プロセッサ２０２は、ステップＳ９０２で計算したメモ記録したアプリケーションでのメモ記録ファイルの記録件数がそのアプリケーションのメモ記録件数の上限値以上かどうかを判定する（ステップＳ９１１）。メモ記録したアプリケーションでのメモ記録ファイルの記録件数がそのアプリケーションのメモ記録件数の上限値を超えていなければ、メモ記録の総容量がメモ記録容量の上限値以上でなければ、プロセッサ２０２は、新しいメモ記録のファイルを保存して（ステップＳ９０６）、処理を終了する。メモ記録したアプリケーションでのメモ記録ファイルの記録件数がそのアプリケーションのメモ記録件数の上限値を超えている場合、プロセッサ２０２は、古いメモファイルを新たに記録するファイルの件数分削除し（ステップＳ９１２）、メモ記録の総容量がメモ記録容量の上限値以上かどうかを確認する（ステップＳ９０４）。このときメモ記録の総容量がメモ記録容量の上限値を超えていなければ、新しいメモ記録に関するデータ（Ｎ７０１〜Ｎ７０５）を本体メモリ２１３のメモ記録メモリＭｅｍ０２にあるメモ記録ＤＢ７０１に追加保存して、新しいメモ記録となるファイルを本体メモリ２１３のメモ記録メモリＭｅｍ０２のアプリケーションファイル記録領域１０−１へ保存し（ステップＳ９０６）、処理を終了する。
【００８１】
このように、本発明の第１の実施形態に係る携帯電話２０１においては、メモ記録キー２０８−１の操作により、メモの記録、閲覧を簡単に行うことができる。
【００８２】
また、本発明の第１の実施形態に係る携帯電話２０１では、メモファイルとメモ記録の種類を示す識別情報と関連付けられているので、この識別情報から、所望のメモのファイルを簡単に検索することができる。このため、ユーザは、ショッピング、駐車場、レストラン等のメモ記録の種類だけを覚えておけば、必要なメモの情報を容易に検索することができる。
【００８３】
また、本発明の第１の実施形態に係る携帯電話２０１では、メモファイルと写真、画像、音声等のアプリケーションと関連付けられているので、どのような種類のメモファイルでも、同様な操作で再生できる。
【００８４】
さらに、本発明の第１の実施形態に係る携帯電話２０１では、メモファイルが保存されるメモ記録メモリＭｅｍ０２は、保存されるファイル数又は容量が制限されるので、所望のメモファイルが簡単に検索できる。また、通常メモリＭｅｍ０１とメモ記録メモリＭｅｍ０２とが完全に分離しているため、通常メモリＭｅｍ０１に保存されているファイルをメモ操作で誤って削除してしまうことがなく、大切なファイルを保護できる。また、通常メモリＭｅｍ０１とメモ記録メモリＭｅｍ０２とが分かれているため、メモの管理が行い易く、また、メモの呼び出し時間を短縮できる。
【００８５】
本発明は、上述した実施形態に限定されるものではなく、この発明の要旨を逸脱しない範囲内で様々な変形や応用が可能である。
【符号の説明】
【００８６】
２０１：携帯電話
２０２：プロセッサ
２０３：表示装置
２０４：スピーカ
２０５：マイクロホン
２０６：時計
２０７：プログラム格納部
２０８：キー装置
２０８−１：メモ記録キー
２０８−２：決定キー
２０９：回線接続部
２１０：筐体振動部
２１１：位置情報取得装置
２１２：筐体状態検出装置
２１３：本体メモリ
２１４：撮像装置
【図１】
2012129770.tif 000003
【図２】
2012129770.tif 000004
【図３】
2012129770.tif 000005
【図４】
2012129770.tif 000006
【図５】
2012129770.tif 000007
【図６】
2012129770.tif 000008
【図７】
2012129770.tif 000009
【図８】
2012129770.tif 000010
【図９】
2012129770.tif 000011
【図１０】
2012129770.tif 000012